(57)【要約】【課題】プロジェクタ本体の姿勢に拘わらず、入力端子とリモコンの入力指定キーとの対応付けを視覚的に明確にすることが可能なプロジェクタを提供する。【解決手段】設置モードが基本モードに設定されると、対応テーブルＰＴ１が有効となり、制御部２０は、リモコン４０のＰＣ１指定キーが操作された場合に、入力選択部２６にＰＣ１端子２５ａを選択させ、リモコン４０のＰＣ２指定キーが操作された場合に、入力選択部２６にＰＣ２端子２５ｂを選択させる。一方、天吊モードに設定されると、対応テーブルＰＴ２が有効となり、制御部２０は、ＰＣ１指定キーが操作された場合にＰＣ２端子２５ｂを選択させ、ＰＣ２指定キーが操作された場合にＰＣ１端子２５ａを選択させる。つまり、天吊モードでは、基本モードに対して、ＰＣ１指定キー及びＰＣ２指定キーと、ＰＣ１端子２５ａ及びＰＣ２端子２５ｂとの対応付けの設定が変更される。【選択図】図５
2009168977.tif 000002
【特許請求の範囲】
【請求項１】
画像を投写するプロジェクタ本体と、前記プロジェクタ本体を遠隔操作するためのリモコンとを有し、前記プロジェクタ本体を所定の基本姿勢で設置した状態、及び天地を反転させた反転姿勢で設置した状態の双方で画像を投写可能なプロジェクタであって、
前記プロジェクタ本体に備えられ、複数の入力端子が所定のレイアウトで配置された画像信号入力部と、
前記複数の入力端子のいずれか１つを指定させるべく、前記複数の入力端子にそれぞれ対応付けられて、前記入力端子と同一のレイアウトで前記リモコンに配置された複数の入力指定キーと、
前記リモコンに備えられ、操作された入力指定キーに対応する操作信号を送信する送信部と、
前記プロジェクタ本体に備えられ、前記送信部から送信される前記操作信号を受信する受信部と、
前記プロジェクタ本体に備えられ、前記複数の入力端子の中から、前記受信部で受信された操作信号に対応する入力端子を選択する入力選択部と、
前記プロジェクタ本体に備えられ、前記入力選択部で選択された入力端子に入力される画像信号に応じた画像を投写する画像投写部と、
前記プロジェクタ本体及び前記リモコンの少なくとも一方に備えられ、前記入力指定キーと前記入力端子との対応付けの設定を変更する入力切替設定部と、
を備えたことを特徴とするプロジェクタ。
【請求項２】
請求項１に記載のプロジェクタであって、
前記入力切替設定部は、前記プロジェクタ本体に備えられ、前記受信部で受信された前記操作信号と、前記入力端子との対応付けの設定を変更することを特徴とするプロジェクタ。
【請求項３】
請求項２に記載のプロジェクタであって、
前記プロジェクタ本体の姿勢を検知する姿勢検知部をさらに備え、前記入力切替設定部は、前記姿勢検知部の検知結果に基づいて、前記操作信号と前記入力端子との対応付けの設定を変更することを特徴とするプロジェクタ。
【請求項４】
請求項１に記載のプロジェクタであって、
前記入力切替設定部は、前記リモコンに備えられ、前記入力指定キーと、前記送信部から送信する前記操作信号との対応付けの設定を変更することを特徴とするプロジェクタ。
【請求項５】
請求項１〜４のいずれか１項に記載のプロジェクタであって、
前記複数の入力端子は、互いに同一の形状であることを特徴とするプロジェクタ。
【請求項６】
請求項１〜５のいずれか１項に記載のプロジェクタであって、
前記画像信号入力部及び前記リモコンには、前記入力指定キーと前記入力端子との対応付けを明示するための表記がなされており、前記プロジェクタ本体及び前記リモコンの少なくとも一方は、前記入力切替設定部によって前記入力指定キーと前記入力端子との対応付けの設定が変更された場合に前記表記を変更するための表記変更手段を備えたことを特徴とするプロジェクタ。
【発明の詳細な説明】
【技術分野】
【０００１】
本発明は、天地を反転させた姿勢でも画像の投写が可能なプロジェクタに関する。
【背景技術】
【０００２】
外部の画像出力装置（映像ソース）から入力される画像信号（映像信号）に基づく画像を投写するプロジェクタにおいて、画像信号が入力される入力端子を複数備えたプロジェクタが知られている（例えば、特許文献１参照）。このようなプロジェクタに遠隔操作で指示を行うためのリモコンには、映像ソース、即ち入力端子を切り替えるためのキー（ボタン）が備えられており、ユーザは、このキーを操作（押下）することによって所望の入力端子に切り替えることができる。
【０００３】
リモコンで入力端子を切り替える態様としては、リモコンに１つの入力切替キーを備えて、この入力切替キーが操作される度に入力端子を順次切り替える態様の他に、複数の入力端子にそれぞれに対応する複数の入力指定キーをリモコンに備えて、操作された入力指定キーに対応する入力端子に切り替える態様が知られている。後者の場合には、１回の操作で所望の入力端子に切り替えることができるため利便性が高い。
【０００４】
このように、プロジェクタが複数の入力端子を備える場合、特に同種の入力端子を複数備える場合には、入力端子と入力指定キーとの対応付けを視覚的に明確にするために、入力端子のレイアウトと入力指定キーのレイアウトを共通にすることが望ましい。例えば、特許文献１の第１６図に記載のプロジェクタの例では、パーソナルコンピュータＰＣ１，ＰＣ２に接続するための２つの入力端子（ＩCOMPUTER1，ＩCOMPUTER2）が左右に並んで配置されており、左側がＰＣ１用、右側がＰＣ２用の入力端子になっている。この場合、リモコンの入力指定キーについても、ＰＣ１用の入力指定キーの右側にＰＣ２用の入力指定キーを配置することにより、入力端子と入力指定キーとの対応付けが視覚的に明確となり、ユーザは、操作すべき入力指定キーを容易に認識できるようになる。
【０００５】
【特許文献１】特開２００６−２８５１６７号公報（第１６図）
【発明の開示】
【発明が解決しようとする課題】
【０００６】
しかしながら、多くのプロジェクタは、机上等に所定の基本姿勢で載置して利用可能であるとともに、天地を反転させた姿勢（以降、反転姿勢という。）で天井等に固定して利用可能になっている。このようなプロジェクタでは、入力指定キーのレイアウトと、基本姿勢における入力端子のレイアウトとを一致させたとしても、反転姿勢で利用する場合には、入力端子のレイアウトも反転してしまうため、入力端子と入力指定キーとの対応付けが不明確となり、ユーザを困惑させてしまうという問題を有している。
【課題を解決するための手段】
【０００７】
本発明は、上述の課題の少なくとも一部を解決するためになされたものであり、以下の形態又は適用例として実現することが可能である。
【０００８】
［適用例１］本適用例に係るプロジェクタは、画像を投写するプロジェクタ本体と、前記プロジェクタ本体を遠隔操作するためのリモコンとを有し、前記プロジェクタ本体を所定の基本姿勢で設置した状態、及び天地を反転させた反転姿勢で設置した状態の双方で画像を投写可能なプロジェクタであって、前記プロジェクタ本体に備えられ、複数の入力端子が所定のレイアウトで配置された画像信号入力部と、前記複数の入力端子のいずれか１つを指定させるべく、前記複数の入力端子にそれぞれ対応付けられて、前記入力端子と同一のレイアウトで前記リモコンに配置された複数の入力指定キーと、前記リモコンに備えられ、操作された入力指定キーに対応する操作信号を送信する送信部と、前記プロジェクタ本体に備えられ、前記送信部から送信される前記操作信号を受信する受信部と、前記プロジェクタ本体に備えられ、前記複数の入力端子の中から、前記受信部で受信された操作信号に対応する入力端子を選択する入力選択部と、前記プロジェクタ本体に備えられ、前記入力選択部で選択された入力端子に入力される画像信号に応じた画像を投写する画像投写部と、前記プロジェクタ本体及び前記リモコンの少なくとも一方に備えられ、前記入力指定キーと前記入力端子との対応付けの設定を変更する入力切替設定部と、を備えたことを特徴とする。
【０００９】
このプロジェクタによれば、入力指定キーと入力端子との対応付けの設定を変更する入力切替設定部を備えているため、基本姿勢及び反転姿勢のいずれの姿勢であっても、入力端子と入力指定キーのレイアウトを同一にすることが可能となる。つまり、プロジェクタ本体の姿勢に拘わらず入力指定キーと入力端子との対応付けを視覚的に明確にすることが可能となるため、操作すべき入力指定キーを容易に認識することが可能となる。
【００１０】
［適用例２］上記適用例に係るプロジェクタにおいて、前記入力切替設定部は、前記プロジェクタ本体に備えられ、前記受信部で受信された前記操作信号と、前記入力端子との対応付けの設定を変更することが望ましい。
【００１１】
このプロジェクタによれば、入力切替設定部がプロジェクタ本体に備わるため、プロジェクタ本体の姿勢の変更や、これに伴ってなされる設定変更（画像を上下反転させるための設定変更）と連動して対応付けの設定を変更することが可能となり、ユーザの利便性が向上する。
【００１２】
［適用例３］上記適用例に係るプロジェクタにおいて、前記プロジェクタ本体の姿勢を検知する姿勢検知部をさらに備え、前記入力切替設定部は、前記姿勢検知部の検知結果に基づいて、前記操作信号と前記入力端子との対応付けの設定を変更することが望ましい。
【００１３】
このプロジェクタによれば、プロジェクタ本体の姿勢を検知する姿勢検知部を備え、入力切替設定部がこの検知結果に基づいて操作信号と入力端子との対応付けの設定を変更するため、ユーザが自ら対応付けの設定を変更する必要がなくなる。
【００１４】
［適用例４］上記適用例に係るプロジェクタにおいて、前記入力切替設定部は、前記リモコンに備えられ、前記入力指定キーと、前記送信部から送信する前記操作信号との対応付けの設定を変更するようにしてもよい。
【００１５】
このプロジェクタによれば、入力切替設定部がリモコンに備わるため、従来の構成のプロジェクタ本体をそのまま利用することも可能となる。
【００１６】
［適用例５］上記適用例に係るプロジェクタにおいて、前記複数の入力端子は、互いに同一の形状であってもよい。
【００１７】
同一形状の入力端子を複数備える場合には、入力指定キーとの対応付けが不明確になりやすいが、このプロジェクタによれば、上述した入力切替設定部によって対応付けを明確にすることができるため、上記適用例の効果が一層有効となる。
【００１８】
［適用例６］上記適用例に係るプロジェクタにおいて、前記画像信号入力部及び前記リモコンには、前記入力指定キーと前記入力端子との対応付けを明示するための表記がなされており、前記プロジェクタ本体及び前記リモコンの少なくとも一方は、前記入力切替設定部によって前記入力指定キーと前記入力端子との対応付けの設定が変更された場合に前記表記を変更するための表記変更手段を備えることが望ましい。
【００１９】
このプロジェクタによれば、入力切替設定部によって入力指定キーと入力端子との対応付けの設定が変更された場合に、この対応付けを示す表記を変更することができるため、入力指定キーと入力端子との対応付けをより一層明確にすることが可能となる。
【発明を実施するための最良の形態】
【００２０】
（第１実施形態）
以下、第１実施形態に係るプロジェクタについて、図面を参照して説明する。本実施形態のプロジェクタは、光源から射出された光を、外部から入力される画像信号に応じて変調して画像光を形成し、この画像光をスクリーン等に拡大投写して画像信号に応じた画像を表示するものである。
【００２１】
図１（ａ）、（ｂ）は、本実施形態のプロジェクタを示す斜視図であり、（ａ）は、装置本体の前面及び上面を示す図、（ｂ）は、その背面及び底面を示す図である。また、図２及び図３は、プロジェクタが画像を投写する様子を示す側面図であり、図２は、装置本体が机上等に載置された状態を示す図、図３は、装置本体が天井等に固定された状態を示す図である。
【００２２】
図１（ａ）、（ｂ）に示すように、プロジェクタ１は、装置本体（プロジェクタ本体２）とこれを遠隔操作するためのリモコン４０とを有して構成され、プロジェクタ本体２は、筐体３で囲まれた構成になっている。図１（ａ）に示すように、筐体３の前面３ｆには、外部のスクリーン等に画像（画像光）を投写する投写レンズ１３が露出しており、投写レンズ１３の近傍には、リモコン４０から送信される操作信号を受信するための受信部２３が備えられている。また、筐体３の上面３ｔには、ユーザにより入力操作が行われる操作パネル２２が設けられている。なお、これ以降、筐体３の前面３ｆ側の方向を「前方」、その反対方向を「後方」と呼ぶ。
【００２３】
図１（ｂ）に示すように、筐体３の底面３ｂには、前方側の略中央に前方脚部４ａ、後方側の左右両側に後方脚部４ｂ，４ｃがそれぞれ備えられており、筐体３の上面３ｔを上方に向けた基本姿勢でプロジェクタ本体２を机上等に載置する場合には、プロジェクタ本体２は、これら３つの脚部（前方脚部４ａ及び後方脚部４ｂ，４ｃ）で支持される（図２参照）。また、筐体３の底面３ｂには、４つのねじ穴５が形成されており、プロジェクタ本体２を天井等に固定する際に用いられる天吊金具６（図３参照）を装着することが可能になっている。この天吊金具６を用いることにより、筐体３を上下反転させた姿勢（反転姿勢）でプロジェクタ本体２を天井等に固定することができる（図３参照）。
【００２４】
筐体３の背面３ｒには、画像信号等を入力するための複数の入力端子を備えた画像信号入力部２５や、商用電源を入力するための電源端子７が備えられている。また、受信部２３が筐体３の背面３ｒにも備えられており、背面３ｒ側からもリモコン４０による遠隔操作が可能になっている。
【００２５】
図４（ａ）、（ｂ）は、プロジェクタ本体２の背面図であり、（ａ）は、基本姿勢で机上等に載置された状態を示す図、（ｂ）は、反転姿勢で天井等に設置された状態を示す図である。
図４（ａ）、（ｂ）に示すように、筐体３の背面３ｒに備わる画像信号入力部２５には、パーソナルコンピュータ等からアナログＲＧＢ信号を入力するためのＰＣ１端子２５ａ及びＰＣ２端子２５ｂ、ビデオ機器等からＳ−ビデオ信号を入力するためのＳ−ビデオ端子２５ｃ、ビデオ機器等からコンポジット信号を入力するためのビデオ端子２５ｄの４つの入力端子が横一列に並んだレイアウトで配置されている。ここで、ＰＣ１端子２５ａとＰＣ２端子２５ｂは、同一形状の入力端子（ミニＤ−Ｓｕｂ１５ピン端子）であり、基本姿勢では、ＰＣ１端子２５ａは、ＰＣ２端子２５ｂの左側に配置されている（図４（ａ）参照）。なお、反転姿勢では、入力端子のレイアウトも反転するため、ＰＣ１端子２５ａは、ＰＣ２端子２５ｂの右側に位置することになる（図４（ｂ）参照）。また、各入力端子（ＰＣ１端子２５ａ、ＰＣ２端子２５ｂ、Ｓ−ビデオ端子２５ｃ、ビデオ端子２５ｄ）の近傍には、それぞれの名称（「ＰＣ１」、「ＰＣ２」、「Ｓ−ビデオ」、「ビデオ」）が表記されている。
【００２６】
次に、プロジェクタ本体２の回路構成等について説明する。
図５は、プロジェクタ本体２の回路構成を示すブロック図である。
図５に示すように、プロジェクタ本体２は、画像投写部１０、制御部２０、記憶部２１、操作パネル２２、受信部２３、光源制御部２４、画像信号入力部２５、入力選択部２６、画像処理部２７、ＯＳＤ処理部２８等を備えている。
【００２７】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル１５（図６参照）や、その入射側及び射出側にそれぞれ備えられ、特定の偏光方向の偏光光のみを透過可能な入射側偏光板及び射出側偏光板（いずれも図示せず）等によって構成される。なお、光源１１から射出された光は、図示しない偏光変換素子によって入射側偏光板を透過可能な偏光光に変換されるようになっており、各液晶ライトバルブ１２Ｒ，１２Ｇ，１２Ｂに入射する各色光の大部分は、入射側偏光板を透過して液晶パネル１５に入射する。
【００３０】
図６は、液晶パネル１５の回路構成を示すブロック図であり、一方の透明基板（ＴＦＴ基板１５ａ）の内面に形成された電気回路を示している。なお、他方の透明基板（対向基板）の内面には、ベタ膜状の共通電極が形成されている。
図６に示すように、ＴＦＴ基板１５ａの内面には、画素領域１５０が形成されており、画素領域１５０には、それぞれ画素電極１５２と、画素電極１５２の電位状態を制御する薄膜トランジスタ１５３とを含む画素回路１５１（以降、単に画素１５１とも呼ぶ）がマトリクス状に配列されている。また、画素領域１５０には、下方向（Ｙ方向）に延出する複数（ｍ本）のデータ線Ｘ１〜Ｘｍが右方向（Ｘ方向）に等間隔で配置されるとともに、Ｘ方向に延出する複数（ｎ本）の走査線Ｙ１〜ＹｎがＹ方向に等間隔で配置されている。画素回路１５１は、データ線Ｘ１〜Ｘｍ及び走査線Ｙ１〜Ｙｎが交差する部位毎に形成されており、走査線Ｙ１〜Ｙｎは、薄膜トランジスタ１５３のゲート電極に、データ線Ｘ１〜Ｘｍは、薄膜トランジスタ１５３のソース電極に接続されている。また、薄膜トランジスタ１５３のドレイン電極には、画素電極１５２が接続されている。
【００３１】
ここで、各画素１５１の画素電極１５２に、ＯＳＤ処理部２８から入力される画像情報に応じた駆動電圧が印加されると、液晶パネル１５に入射した光は、共通電極と各画素電極１５２との電位差に応じて変調され、画素１５１毎に異なる偏光方向を有した偏光光となる。この偏光光のうち、射出側偏光板を透過可能な偏光成分のみが液晶ライトバルブ１２Ｒ，１２Ｇ，１２Ｂから射出される。つまり、液晶ライトバルブ１２Ｒ，１２Ｇ，１２Ｂが、画像情報に応じて画素１５１毎に異なる透過率で入射光を透過させることによって、階調を有する画像光が色光毎に形成される。
【００３２】
ＴＦＴ基板１５ａ上には、ライトバルブ駆動部１４（図５参照）を構成するデータ線駆動回路１４ａ及び走査線駆動回路１４ｂが形成されている。走査線駆動回路１４ｂは、走査線Ｙ１〜Ｙｎに接続され、複数の走査線Ｙ１〜Ｙｎの中から１本の走査線を順次選択する。データ線駆動回路１４ａは、データ線Ｘ１〜Ｘｍに接続され、各データ線Ｘ１〜Ｘｍに対して画像情報に応じた信号を供給する。走査線駆動回路１４ｂが１本の走査線を選択している期間中に、データ線駆動回路１４ａが各データ線Ｘ１〜Ｘｍに画像情報に応じた信号を供給すると、選択画素（選択された走査線に接続された横１列の画素群）に駆動電圧が印加される。これを全ての走査線Ｙ１〜Ｙｎで繰り返すことにより、画素領域１５０内の全ての画素１５１に画像情報に応じた電圧が時分割で印加され、１画面（１フレーム）分の画像光が形成される。
【００３３】
図５に戻って、液晶ライトバルブ１２Ｒ，１２Ｇ，１２Ｂで形成された各色の画像光は、図示しない色合成光学系によって画素１５１毎に合成されてカラーの画像光となった後、投写レンズ１３によってスクリーンＳＣに拡大投写される。
【００３４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ本体２の動作を統括制御する。つまり、制御部２０は、記憶部２１とともにコンピュータとして機能する。
【００３５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３６】
操作パネル２２は、ユーザがプロジェクタ１に対して各種指示を行うための複数の操作キーを備えている。操作パネル２２が備える操作キーとしては、電源のオン・オフを切り替えるための電源キー、各種設定を行うためのメニュー画像を表示させるメニューキー、メニュー画像上での項目の選択等に用いられる方向キー、メニュー画像において選択された項目を決定するための決定キー、操作の取り消し等を行うための取消キー、入力選択部２６に選択させる入力端子を順次切り替えるための入力切替キー等がある。ユーザが操作パネル２２の各種操作キーを操作すると、操作パネル２２は、ユーザの操作内容に応じた操作信号を制御部２０に出力する。
【００３７】
受信部２３は、リモコン４０から赤外線の点滅信号として送信される操作信号を受信して制御部２０に伝達するものであり、受光装置やデコーダ（いずれも図示せず）等で構成されている。受信部２３は、点滅信号を受光装置によって受光して電気信号に変換した後、デコーダによって復調して制御部２０に出力する。なお、本実施形態の記憶部２１には、リモコン４０の操作信号に含まれる制御コードと、制御部２０の処理内容とを対応付けた２つの対応テーブルＰＴ１，ＰＴ２が記憶されており、受信部２３によってリモコン４０からの操作信号を受信した場合には、制御部２０は、２つの対応テーブルＰＴ１，ＰＴ２のうちのいずれか一方を参照し、受信した操作信号に含まれる制御コードに対応する処理を行う。対応テーブルＰＴ１，ＰＴ２の詳細については後述する。
【００３８】
光源制御部２４は、制御部２０の指示に基づいて、光源１１に対する電力の供給と停止とを制御し、光源１１の点灯及び消灯を切り替える。
【００３９】
画像信号入力部２５は、上述したように、ビデオ機器やパーソナルコンピュータ等、図示しない外部の画像出力装置から、各種形式の画像信号を入力可能な複数の入力端子（ＰＣ１端子２５ａ、ＰＣ２端子２５ｂ、Ｓ−ビデオ端子２５ｃ、ビデオ端子２５ｄ等）を備えている。各入力端子に入力された画像信号は、入力選択部２６に供給される。
【００４０】
入力選択部２６は、複数の入力端子のうち、制御部２０の指示に基づく１つの入力端子を選択し、この入力端子に入力される画像信号を画像処理部２７に出力する。ユーザが、操作パネル２２の入力切替キーや、後述するリモコン４０の入力指定キーを操作して所望の入力端子を指定すると、制御部２０は、この入力端子に入力されている画像信号を画像処理部２７に出力するよう、入力選択部２６に指示をする。
【００４１】
画像処理部２７は、入力選択部２６から順次入力される各種形式の画像信号に基づいて、液晶ライトバルブ１２Ｒ，１２Ｇ，１２Ｂの各画素１５１の階調を表す画像情報を生成する。ここで、生成された画像情報は、Ｒ，Ｇ，Ｂの色光別になっており、各液晶ライトバルブ１２Ｒ，１２Ｇ，１２Ｂのすべての画素１５１に対応する複数の画素値によって構成されている。画素値とは、対応する画素１５１の光透過率を定めるものであり、この画素値によって、各画素１５１から射出する光の強弱（階調）が規定される。さらに、画像処理部２７は、制御部２０の指示に基づき、生成した画像情報に対して、明るさ、コントラスト、シャープネス、色合い等を調整するための画質調整処理等を行い、すべての処理を終えた画像情報をＯＳＤ処理部２８に順次出力する。
【００４２】
ＯＳＤ処理部２８は、制御部２０の指示に基づいて、メニュー画像やメッセージ画像等のＯＳＤ（オンスクリーンディスプレイ）画像を、入力画像（画像信号入力部２５に入力される画像信号に基づく画像）上に重畳するための処理を行う。ＯＳＤ処理部２８は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２８は、必要なＯＳＤ画像情報をＯＳＤメモリから読み出し、入力画像の所定の位置にＯＳＤ画像が重畳されるように、画像処理部２７から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２８は、画像処理部２７から入力される画像情報を、そのままライトバルブ駆動部１４に出力する。
【００４３】
図６に戻って、ＯＳＤ処理部２８から入力される画像情報は、ライトバルブ駆動部１４のデータ線駆動回路１４ａに供給される。また、データ線駆動回路１４ａ及び走査線駆動回路１４ｂのそれぞれには、制御部２０からタイミング信号等が供給される。データ線駆動回路１４ａ及び走査線駆動回路１４ｂが、入力されるタイミング信号に基づいたタイミングで、入力される画像情報に従って液晶ライトバルブ１２Ｒ，１２Ｇ，１２Ｂ（液晶パネル１５）を駆動すると、液晶ライトバルブ１２Ｒ，１２Ｇ，１２Ｂは、画像情報に応じた画像を形成し、この画像が投写レンズ１３からスクリーンＳＣに投写される。
【００４４】
ここで、制御部２０は、データ線駆動回路１４ａ及び走査線駆動回路１４ｂに対して、走査方向を制御するための走査方向制御信号ＤＩＲＸ，ＤＩＲＹをそれぞれ出力するようになっており、データ線駆動回路１４ａ及び走査線駆動回路１４ｂは、入力される走査方向制御信号ＤＩＲＸ，ＤＩＲＹに応じた走査方向で液晶パネル１５を駆動する。例えば、走査線駆動回路１４ｂは、入力された走査方向制御信号ＤＩＲＹがＬレベルの場合、Ｙ１，Ｙ２，…Ｙｎの順で走査線を選択し、走査方向制御信号ＤＩＲＹがＨレベルの場合には、Ｙｎ，Ｙｎ−１，…Ｙ１の順で走査線を選択する。また、データ線駆動回路１４ａは、入力された走査方向制御信号ＤＩＲＸがＬレベルの場合、順次入力される画素値をＸ１，Ｘ２，…Ｘｍの順に対応付けてデータ線にそれぞれ供給し、走査方向制御信号ＤＩＲＸがＨレベルの場合には、順次入力される画素値をＸｍ，Ｘｍ−１，…Ｘ１の順に対応付けてデータ線にそれぞれ供給する。このため、走査方向制御信号ＤＩＲＸ，ＤＩＲＹの電位レベルを変更することにより、画像を上下に反転した状態、即ち画像を１８０°回転した状態とすることができる。
【００４５】
図７（ａ）、（ｂ）は、走査方向制御信号ＤＩＲＸ，ＤＩＲＹと画像の表示状態の関係を示す説明図である。
図７（ａ）に示すように、本実施形態では、走査方向制御信号ＤＩＲＸ，ＤＩＲＹの電位レベルがともにＬレベルのとき、基本姿勢のプロジェクタ本体２から正規の向きで画像が投写されるようになっており、走査方向制御信号ＤＩＲＸ，ＤＩＲＹの電位レベルがともにＨレベルのときには、画像の上下が反転する。つまり、図７（ｂ）に示すように、走査方向制御信号ＤＩＲＸ，ＤＩＲＹの電位レベルがともにＨレベルのときには、反転姿勢のプロジェクタ本体２から正規の向きで画像が投写されることになる。なお、これ以降、走査方向制御信号ＤＩＲＸ，ＤＩＲＹの電位レベルがともにＬレベルのときの表示状態を「基本表示状態」と呼び、走査方向制御信号ＤＩＲＸ，ＤＩＲＹの電位レベルがともにＨレベルのときの表示状態を「反転表示状態」と呼ぶ。
【００４６】
次に、リモコン４０について説明する。
図８は、リモコン４０の平面図である。
図８に示すように、リモコン４０は、筐体４０ａで覆われた構成を有しており、その表面には、多数の操作キーを備えている。リモコン４０が備える操作キーとしては、操作パネル２２と同様に、電源のオン・オフを切り替えるための電源キー４１、各種設定を行うためのメニュー画像を表示させるメニューキー４２、メニュー画像上での項目の選択等に用いられる４つの方向キー４３、メニュー画像において選択された項目を決定するための決定キー４４、操作の取り消し等を行うための取消キー４５等がある。
【００４７】
また、リモコン４０には、操作パネル２２に備わる入力切替キーの代わりに、４つの入力指定キーが備えられている。入力指定キーは、画像信号入力部２５に備わる４つの入力端子にそれぞれ対応するものであり、ＰＣ１端子２５ａに対応するＰＣ１指定キー４６と、ＰＣ２端子２５ｂに対応するＰＣ２指定キー４７と、Ｓ−ビデオ端子２５ｃに対応するＳ−ビデオ指定キー４８と、ビデオ端子２５ｄに対応するビデオ指定キー４９とで構成されている。ここで、ＰＣ１指定キー４６は、ＰＣ２指定キー４７の左側に配置されており、基本姿勢におけるＰＣ１端子２５ａとＰＣ２端子２５ｂの左右の配置と同一のレイアウトになっている（図４（ａ）参照）。また、各入力指定キー（ＰＣ１指定キー４６、ＰＣ２指定キー４７、Ｓ−ビデオ指定キー４８、ビデオ指定キー４９）の近傍には、対応する入力端子を表す名称（「ＰＣ１」、「ＰＣ２」、「Ｓ−ビデオ」、「ビデオ」）がそれぞれ表記されている。なお、上述した操作キー（電源キー４１、メニューキー４２、方向キー４３、決定キー４４、取消キー４５、ＰＣ１指定キー４６、ＰＣ２指定キー４７、Ｓ−ビデオ指定キー４８、ビデオ指定キー４９）以外の表記については、図示を省略している。
ユーザによりこれらの操作キーが操作されると、リモコン４０は、操作された操作キーに対応する操作信号ＲＳをプロジェクタ本体２に送信する。
【００４８】
図９は、リモコン４０の回路構成を示すブロック図である。
図９に示すように、リモコン４０は、制御部６０、記憶部６１、キー検出部６２、送信部６３等を備えて構成されている。
【００４９】
制御部６０は、ＣＰＵ等からなり、記憶部６１に記憶されている制御プログラムに従って動作することによりリモコン４０の動作を統括制御する。記憶部６１は、不揮発性のメモリにより構成され、リモコン４０の動作を制御するための制御プログラムや、後述する対応テーブルＲＴ等を記憶する。
【００５０】
キー検出部６２は、各操作キーが押下（操作）されたことを検出して、押下された操作キーに応じた検出信号を制御部６０に出力する。制御部６０は、キー検出部６２から検出信号が入力されると、入力された検出信号、即ち操作された操作キーに対応する操作信号ＲＳを生成して、送信部６３に出力する。
【００５１】
図１０は、記憶部６１に記憶されている対応テーブルＲＴを説明するための説明図であり、図１１は、制御部６０が生成する操作信号ＲＳの構成を説明するための説明図である。
図１０に示すように、対応テーブルＲＴは、操作キー（検出信号）と、操作キーを特定するための制御コードとを対応付けたものであり、例えば、入力指定キーであるＰＣ１指定キー４６、ＰＣ２指定キー４７、Ｓ−ビデオ指定キー４８、ビデオ指定キー４９には、制御コードとして、それぞれ２１ｈ、２２ｈ、２３ｈ、２４ｈが対応付けられている。
【００５２】
また、図１１に示すように、操作信号ＲＳは、信号の先頭を表すリーダ部Ｒ１と、操作対象となる機器のメーカーを表すメーカーコードＲ２と、機器の種別（プロジェクタ、ビデオ等）を表す機器コードＲ３と、制御コードからなるデータ部Ｒ４と、信号の終了を表すトレーラ部Ｒ５とを含んで構成されている。制御部６０は、操作キーが操作されると、操作された操作キーに対応する制御コードを対応テーブルＲＴ（図１０参照）から読み出し、この制御コードをデータ部Ｒ４に書き込むことによって、操作された操作キーに応じた操作信号ＲＳを生成する。
【００５３】
図９に戻って、送信部６３は、赤外線通信用のエンコーダや赤外線発光装置（いずれも図示せず）等で構成され、制御部６０から入力される操作信号ＲＳをエンコーダで変調し、赤外線発光装置により赤外線の点滅信号として外部に送信する。
【００５４】
次に、プロジェクタ本体２の動作について説明する。
プロジェクタ本体２を反転姿勢で設置する場合には、基本姿勢で設置する場合に対して、投写される画像が上下反転（１８０°回転）するため、設定メニューから画像の上下を反転させるための設定（設置モードの設定）を行う必要がある。ユーザが操作パネル２２或いはリモコン４０に備わるメニューキーを操作すると、制御部２０は、ＯＳＤ処理部２８に指示をして、図示しない設定メニュー（メインメニュー）を入力画像上に重畳表示させる。その後、ユーザがメインメニューの中から設置モードを設定するための項目を選択すると、制御部２０は、ＯＳＤ処理部２８に指示をして、メインメニューの表示を終了させるとともに、設置モードを設定するための設定メニュー（設置モード設定メニュー）を入力画像上に重畳表示させる。
【００５５】
図１２は、設置モード設定メニューを示す説明図である。
図１２に示すように、設置モード設定メニューＭ１には、タイトル「設置モードの設定」の下に、設置モードを表す２つの項目「基本モード」、「天吊モード」が含まれている。基本モードとは、プロジェクタ本体２を基本姿勢で利用する場合に選択すべき項目であり、天吊モードとは、プロジェクタ本体２を反転姿勢で利用する場合に選択すべき項目である。２つの項目のうち、現在設定されている設置モードを表す項目（この例では、基本モード）は、選択された状態（背景色が異なる状態）になっており、ユーザは、操作パネル２２或いはリモコン４０に備わる方向キーを操作することにより、所望の設置モードを選択することができる。ユーザが、設置モードを選択した後に決定キーを操作すると、制御部２０は、選択された設置モードを設置モード情報として記憶部２１に記憶し、その後、ＯＳＤ処理部２８に指示をして設置モード設定メニューＭ１の表示を終了させる。これにより、設置モードが設定される。
【００５６】
設置モードが設定されると、制御部２０は、設定された設置モードに応じて、ライトバルブ駆動部１４に出力する走査方向制御信号ＤＩＲＸ，ＤＩＲＹの電位レベルを変更する。具体的には、設置モードが基本モードに設定された場合には、制御部２０は、走査方向制御信号ＤＩＲＸ，ＤＩＲＹをともにＬレベルとしてライトバルブ駆動部１４に出力し、設置モードが天吊モードに設定された場合には、走査方向制御信号ＤＩＲＸ，ＤＩＲＹをともにＨレベルとしてライトバルブ駆動部１４に出力する。これにより、プロジェクタ本体２の姿勢に拘わらず、投写される画像は、正規の向き（視認可能な向き）で表示される。
【００５７】
また、上述したように、記憶部２１には、入力端子を指定する際に参照される２つの対応テーブルＰＴ１，ＰＴ２が記憶されており、設置モードの設定が変更されると、制御部２０は、有効な対応テーブル、即ち参照すべき対応テーブルを切り替えるようになっている。具体的には、基本モードに設定された場合には、制御部２０は、対応テーブルＰＴ１を参照し、天吊モードに設定された場合には、対応テーブルＰＴ２を参照する。
【００５８】
図１３は、記憶部２１に記憶されている対応テーブルＰＴ１，ＰＴ２を説明するための説明図である。
図１３に示すように、対応テーブルＰＴ１，ＰＴ２には、リモコン４０の操作信号ＲＳに含まれる制御コードに、制御部２０の処理内容が対応付けられている。２つの対応テーブルＰＴ１，ＰＴ２の間では、同一形状のＰＣ１端子２５ａ及びＰＣ２端子２５ｂに対応する制御コード（２１ｈ，２２ｈ）に、異なる処理内容が対応付けられており、他の制御コードについては、同一の対応付けがなされている。
【００５９】
基本モードに設定されて、対応テーブルＰＴ１が有効になっている場合には、制御部２０は、受信した操作信号ＲＳに含まれる制御コードが２１ｈの場合、即ちリモコン４０のＰＣ１指定キー４６が操作された場合に、入力選択部２６にＰＣ１端子２５ａを選択させる処理を行い、制御コードが２２ｈの場合、即ちリモコン４０のＰＣ２指定キー４７が操作された場合に、入力選択部２６にＰＣ２端子２５ｂを選択させる処理を行う。一方、天吊モードに設定されて、対応テーブルＰＴ２が有効になっている場合には、制御部２０は、制御コードが２１ｈの場合（ＰＣ１指定キー４６が操作された場合）に、入力選択部２６にＰＣ２端子２５ｂを選択させる処理を行い、制御コードが２２ｈの場合（ＰＣ２指定キー４７が操作された場合）に、入力選択部２６にＰＣ１端子２５ａを選択させる処理を行う。つまり、天吊モードに設定されている場合には、基本モードに設定されている場合に対して、ＰＣ１指定キー４６及びＰＣ２指定キー４７と、ＰＣ１端子２５ａ及びＰＣ２端子２５ｂとの対応付けの設定が変更される。
【００６０】
上述したように、プロジェクタ本体２が基本姿勢で設置されている場合には、画像信号入力部２５のＰＣ１端子２５ａは、ＰＣ２端子２５ｂの左側に位置している（図４（ａ）参照）。また、リモコンのＰＣ１指定キー４６は、ＰＣ２指定キー４７の左側に配置されている（図８参照）。このため、ユーザは、リモコン４０に備わるＰＣ１指定キー４６及びＰＣ２指定キー４７のうち、左側の操作キー（ＰＣ１指定キー４６）を操作することによって、同一形状の２つの入力端子（ＰＣ１端子２５ａ及びＰＣ２端子２５ｂ）のうち、左側に備わる入力端子（ＰＣ１端子２５ａ）を選択させることができ、右側の操作キー（ＰＣ２指定キー４７）を操作することによって、右側に備わる入力端子（ＰＣ２端子２５ｂ）を選択させることができる。
【００６１】
一方、プロジェクタ本体２が反転姿勢で設置されている場合には、筐体３が上下反転するため、画像信号入力部２５のＰＣ１端子２５ａは、ＰＣ２端子２５ｂの右側に位置することになり（図４（ｂ）参照）、入力端子（ＰＣ１端子２５ａ、ＰＣ２端子２５ｂ）と、これに対応する操作キーとの左右の位置関係が反転する。ただし、設置モードを天吊モードに設定することによって、ＰＣ１指定キー４６及びＰＣ２指定キー４７と、ＰＣ１端子２５ａ及びＰＣ２端子２５ｂとの対応付けの設定を変更することができるため、入力端子と、これに対応する操作キーとの左右の位置関係を一致させることができる。つまり、ユーザは、リモコン４０に備わるＰＣ１指定キー４６及びＰＣ２指定キー４７のうち、左側の操作キー（ＰＣ１指定キー４６）を操作することによって、同一形状の２つの入力端子（ＰＣ１端子２５ａ及びＰＣ２端子２５ｂ）のうち、左側に備わる入力端子（ＰＣ２端子２５ｂ）を選択させることができ、右側の操作キー（ＰＣ２指定キー４７）を操作することによって、右側に備わる入力端子（ＰＣ１端子２５ａ）を選択させることができる。
【００６２】
上記のようにユーザにより設定された設置モードは、設置モード情報として不揮発性のメモリからなる記憶部２１に記憶されるため、電源をオフにした後もその内容は保持される。このため、次回以降に電源が投入される際には、制御部２０は、この設置モード情報を読み出すことによって設定されている設定モードを識別することができる。
【００６３】
図１４は、プロジェクタ本体２の電源投入時の動作を説明するためのフローチャートである。プロジェクタ本体２に商用電源が供給され、操作パネル２２或いはリモコン４０に備わる電源キーが操作されると、制御部２０は、図１４に示すフローに従って動作する。
【００６４】
図１４に示すように、ステップＳ１０１では、制御部２０は、光源制御部２４に光源１１を点灯させる指示を行う等の必要な初期動作を行う。そして、ステップＳ１０２では、制御部２０は、記憶部２１に記憶されている設置モード情報を読み出し、続くステップＳ１０３では、設置モード情報に基づいて、設置モードが基本モードに設定されているか否かを判断する。そして、基本モードに設定されている場合にはステップＳ１０４に移行し、天吊モードに設定されている場合にはステップＳ１０６に移行する。
【００６５】
設置モードが基本モードに設定されていてステップＳ１０４に移行した場合には、制御部２０は、ライトバルブ駆動部１４に出力する走査方向制御信号ＤＩＲＸ，ＤＩＲＹの電位レベルをともにＬレベルとする。これにより、これ以降、画像信号入力部２５に入力される画像信号に応じた画像が、画像投写部１０から基本表示状態で投写される（図７（ａ）参照）。
【００６６】
続くステップＳ１０５では、制御部２０は、記憶部２１に記憶されている２つの対応テーブルＰＴ１，ＰＴ２のうち、対応テーブルＰＴ１を有効にしてフローを終了する。これにより、これ以降、リモコン４０から操作信号ＲＳを受信した場合には、対応テーブルＰＴ１に従った処理を行う。つまり、リモコン４０のＰＣ１指定キー４６が操作された場合には、制御部２０は、入力選択部２６にＰＣ１端子２５ａを選択させ、ＰＣ２指定キー４７が操作された場合には、入力選択部２６にＰＣ２端子２５ｂを選択させる。
【００６７】
一方、設置モードが天吊モードに設定されていてステップＳ１０６に移行した場合には、制御部２０は、ライトバルブ駆動部１４に出力する走査方向制御信号ＤＩＲＸ，ＤＩＲＹの電位レベルをともにＨレベルとする。これにより、これ以降、画像信号入力部２５に入力される画像信号に応じた画像が、画像投写部１０から反転表示状態で投写される（図７（ｂ）参照）。
【００６８】
続くステップＳ１０７では、制御部２０は、記憶部２１に記憶されている２つの対応テーブルＰＴ１，ＰＴ２のうち、対応テーブルＰＴ２を有効にしてフローを終了する。これにより、これ以降、リモコン４０から操作信号ＲＳを受信した場合には、対応テーブルＰＴ２に従った処理を行う。つまり、リモコン４０のＰＣ１指定キー４６が操作された場合には、制御部２０は、入力選択部２６にＰＣ２端子２５ｂを選択させ、ＰＣ２指定キー４７が操作された場合には、入力選択部２６にＰＣ１端子２５ａを選択させる。
【００６９】
なお、設置モードが天吊モードに設定された場合には、ＰＣ２指定キー４７でＰＣ１端子２５ａを指定し、ＰＣ１指定キー４６でＰＣ２端子２５ｂを指定することになるため、入力端子の近傍に付された表記と、リモコン４０の入力指定キーの近傍に付された表記とに不一致が生じてしまうことになる。このため、本実施形態では、ＰＣ１指定キー４６の表記「ＰＣ１」とＰＣ２指定キー４７の表記「ＰＣ２」を入れ替えるための印刷が施されたラベルＬＲ（図１５参照）をリモコン４０に貼り付けることによって、画像信号入力部２５に付された表記と一致させるようにしている。なお、ラベルＬＲをリモコン４０に貼り付ける代わりに、ＰＣ１端子２５ａの表記「ＰＣ１」とＰＣ２端子２５ｂの表記「ＰＣ２」を入れ替えるための印刷が施されたラベルＬＰ（図１６参照）を画像信号入力部２５に貼り付けるようにしてもよい。また、ラベルＬＲ，ＬＰを貼り付ける態様に限られず、例えば、表記を入れ替えるための印刷が施された薄板状のシートを、リモコン４０の筐体４０ａやプロジェクタ本体２の画像信号入力部２５にはめ込んで固定する態様であってもよい。
【００７０】
以上説明したように、本実施形態のプロジェクタ１によれば、以下の効果を得ることができる。
【００７１】
（１）本実施形態のプロジェクタ１によれば、設置モードが基本モードに設定された場合と、天吊モードに設定された場合とで、入力指定キー（ＰＣ１指定キー４６及びＰＣ２指定キー４７）と入力端子（ＰＣ１端子２５ａ及びＰＣ２端子２５ｂ）との対応付けの設定を変更しているため、基本姿勢及び反転姿勢のいずれの姿勢であっても、入力端子と入力指定キーのレイアウト（左右の位置関係）を同一にすることが可能となる。つまり、プロジェクタの姿勢に拘わらず入力指定キーと入力端子との対応付けを視覚的に明確にすることが可能となるため、操作すべき入力指定キーを容易に認識することが可能となる。
【００７２】
（２）本実施形態のプロジェクタ１によれば、プロジェクタ本体２の記憶部２１に記憶されている対応テーブルＰＴ１，ＰＴ２を切り替えることにより、受信部２３が受信した操作信号ＲＳ（制御コード）と、選択すべき入力端子との対応付けの設定を変更している。つまり、入力指定キー（ＰＣ１指定キー４６及びＰＣ２指定キー４７）と入力端子（ＰＣ１端子２５ａ及びＰＣ２端子２５ｂ）との対応付けの設定をプロジェクタ本体２で変更しているため、プロジェクタ本体２になされる設置モードの設定変更と連動して対応付けの設定を変更することが可能となり、ユーザの利便性が向上する。
【００７３】
（３）本実施形態のプロジェクタ１によれば、同一形状の入力端子を複数（ＰＣ１端子２５ａ及びＰＣ２端子２５ｂの２つ）備えており、この２つの入力端子について対応付けの設定を変更している。同一形状の入力端子を複数備える場合には、入力指定キーとの対応付けが不明確になりやすいことから、対応付けが明確になることの効果が一層有効となる。
【００７４】
（４）本実施形態のプロジェクタ１によれば、設置モードが天吊モードに設定されて入力指定キーと入力端子との対応付けの設定が変更された場合に、ラベルＬＲ又はラベルＬＰを貼り付けることによって入力指定キーと入力端子の表記を合わせることができるため、入力指定キーと入力端子との対応付けをより一層明確にすることが可能となる。
【００７５】
なお、本実施形態では、設置モードの変更に伴い、有効な対応テーブルＰＴ１，ＰＴ２を切り替える際の制御部２０が入力切替設定部に相当する。また、ＰＣ１指定キー４６の表記「ＰＣ１」とＰＣ２指定キー４７の表記「ＰＣ２」を入れ替えるためのラベルＬＲ，ＬＰが表記変更手段に相当する。
【００７６】
（第２実施形態）
以下、第２実施形態に係るプロジェクタについて、図面を参照して説明する。前記第１実施形態では、プロジェクタ本体２の記憶部２１に２つの対応テーブルＰＴ１，ＰＴ２を備え、プロジェクタ本体２になされた設置モードの設定に応じて対応テーブルＰＴ１，ＰＴ２を切り替えることにより、入力指定キーと入力端子との対応付けの設定を変更するようになっていた。本実施形態では、リモコン４０に２つの対応テーブルＲＴ１，ＲＴ２を備えるようにして、リモコン４０に所定の操作がなされた場合に対応テーブルＲＴ１，ＲＴ２を切り替えて入力指定キーと入力端子との対応付けの設定を変更するようになっている。
【００７７】
図１７は、本実施形態のプロジェクタ本体２の回路構成を示すブロック図である。
図１７に示すように、本実施形態のプロジェクタ本体２は、記憶部２１に１つの対応テーブルＰＴのみを備えており、この対応テーブルＰＴは、前記第１実施形態における対応テーブルＰＴ１（図１３参照）と同一である。リモコン４０から操作信号ＲＳを受信した場合には、制御部２０は、設定されている設置モードに拘わらず、常に対応テーブルＰＴに従った処理を行う。例えば、制御コード２１ｈを含んだ操作信号ＲＳを受信した場合には、制御部２０は、入力選択部２６にＰＣ１端子２５ａを選択させ、制御コード２２ｈを含んだ操作信号ＲＳを受信した場合には、制御部２０は、入力選択部２６にＰＣ２端子２５ｂを選択させる。プロジェクタ本体２の他の回路構成については、前記第１実施形態と同一である。
【００７８】
図１８は、本実施形態のリモコン４０の回路構成を示すブロック図であり、図１９は、本実施形態のリモコン４０に記憶されている対応テーブルを説明するための説明図である。
図１８に示すように、本実施形態のリモコン４０は、記憶部６１に２つの対応テーブルＲＴ１，ＲＴ２を記憶している。一方の対応テーブルＲＴ１は、前記第１実施形態の対応テーブルＲＴ（図１０参照）と同一であり、他方の対応テーブルＲＴ２は、対応テーブルＲＴ１に対してＰＣ１指定キー４６及びＰＣ２指定キー４７に対応付けられた制御コードが入れ替えられている。つまり、図１９に示すように、対応テーブルＲＴ１では、ＰＣ１指定キー４６に制御コード２１ｈが対応付けられ、ＰＣ２指定キー４７には制御コード２２ｈが対応付けられているのに対して、対応テーブルＲＴ２では、ＰＣ１指定キー４６に制御コード２２ｈが対応付けられ、ＰＣ２指定キー４７には制御コード２１ｈが対応付けられている。他の操作キーについては、２つの対応テーブルＲＴ１，ＲＴ２とも同一の制御コードが対応付けられている。
【００７９】
２つの対応テーブルＲＴ１，ＲＴ２は、いずれか一方のみが有効になっており、記憶部６１には、いずれの対応テーブルが有効であるかを示す情報（有効テーブル情報）が記憶されている。リモコン４０の制御部６０は、ユーザによって操作キーが操作されると、有効テーブル情報に基づいて、いずれの対応テーブルが有効であるのかを検知した後、操作された操作キーに対応する制御コードを有効な対応テーブルから読み出して操作信号ＲＳを生成する。
【００８０】
ユーザは、リモコン４０に対して所定のテーブル切替操作（本実施形態では、ＰＣ１指定キー４６とＰＣ２指定キー４７とを同時に押下した状態を１０秒以上維持する操作）を行うことによって有効な対応テーブルを切り替えることができる。例えば、対応テーブルＲＴ１が有効な状態でユーザによりテーブル切替操作がなされると、制御部６０は、対応テーブルＲＴ２を有効にすべく有効テーブル情報を更新し、この状態で再度テーブル切替操作がなされると、対応テーブルＲＴ１を有効にすべく有効テーブル情報を更新する。リモコン４０の他の回路構成については、前記第１実施形態と同一である。
【００８１】
本実施形態のプロジェクタ１は、上記のような構成になっているため、プロジェクタ本体２を基本姿勢で設置する場合には、ユーザは、プロジェクタ本体２に対して設置モードを基本モードに設定するとともに、リモコン４０に対してテーブル切替操作をして対応テーブルＲＴ１を有効にすればよい。この場合には、リモコン４０に備わるＰＣ１指定キー４６及びＰＣ２指定キー４７のうち、左側の操作キー（ＰＣ１指定キー４６）を操作すると、制御コード２１ｈを含んだ操作信号ＲＳがリモコン４０から送信され、同一形状の２つの入力端子（ＰＣ１端子２５ａ及びＰＣ２端子２５ｂ）のうち、左側に備わる入力端子（ＰＣ１端子２５ａ）を選択させることができる。また、右側の操作キー（ＰＣ２指定キー４７）を操作すると、制御コード２２ｈを含んだ操作信号ＲＳがリモコン４０から送信され、右側に備わる入力端子（ＰＣ２端子２５ｂ）を選択させることができる。
【００８２】
一方、プロジェクタ本体２を反転姿勢で設置する場合には、ユーザは、プロジェクタ本体２に対して設置モードを天吊モードに設定するとともに、リモコン４０に対してテーブル切替操作をして対応テーブルＲＴ２を有効にすればよい。この場合には、左側の操作キー（ＰＣ１指定キー４６）を操作すると、制御コード２２ｈを含んだ操作信号ＲＳがリモコン４０から送信され、反転姿勢で左側になる入力端子（ＰＣ２端子２５ｂ）を選択させることができる。また、右側の操作キー（ＰＣ２指定キー４７）を操作すると、制御コード２１ｈを含んだ操作信号ＲＳがリモコン４０から送信され、反転姿勢で右側になる入力端子（ＰＣ１端子２５ａ）を選択させることができる。
【００８３】
なお、プロジェクタ本体２を反転姿勢で設置する場合に、入力端子の近傍に付された表記と、リモコン４０の入力指定キーの近傍に付された表記とに不一致が生じてしまうことについては、前記第１実施形態と同様、ラベルＬＲ，ＬＰ（図１５及び図１６参照）等を画像信号入力部２５及びリモコン４０のいずれか一方に装着することによって回避することが可能である。
【００８４】
以上説明したように、本実施形態のプロジェクタ１によれば、前記第１実施形態の効果に加えて以下の効果を得ることができる。
【００８５】
（１）本実施形態のプロジェクタ１によれば、リモコン４０の記憶部６１に記憶されている対応テーブルＲＴ１，ＲＴ２を切り替えることによって、入力指定キーと操作信号ＲＳ（制御コード）との対応付けの設定を変更している。つまり、入力指定キー（ＰＣ１指定キー４６及びＰＣ２指定キー４７）と入力端子（ＰＣ１端子２５ａ及びＰＣ２端子２５ｂ）との対応付けの設定をリモコン４０で変更しているため、プロジェクタ本体２として、従来の構成のプロジェクタ本体をそのまま利用することも可能となる。
【００８６】
なお、本実施形態では、ユーザによるテーブル切替操作に応じて、有効な対応テーブルＲＴ１，ＲＴ２を切り替える際の制御部６０が入力切替設定部に相当する。
【００８７】
（第３実施形態）
以下、第３実施形態に係るプロジェクタについて、図面を参照して説明する。
図２０は、本実施形態のプロジェクタ本体２の回路構成を示すブロック図である。
図２０に示すように、本実施形態のプロジェクタ本体２は、姿勢検知部２９を備えている。姿勢検知部２９は、加速度センサ（重力センサ）等で構成され、プロジェクタ本体２（筐体３）の姿勢（基本姿勢又は反転姿勢）を検知して、その検知結果を検知信号として制御部２０に出力する。プロジェクタ本体２の他の構成、及びリモコン４０の構成については、前記第１実施形態と同一である。
【００８８】
図２１は、本実施形態のプロジェクタ本体２の電源投入時の動作を説明するためのフローチャートである。プロジェクタ本体２に商用電源が供給され、操作パネル２２或いはリモコン４０に備わる電源キーが操作されると、制御部２０は、図２１に示すフローに従って動作する。
【００８９】
図２１に示すように、ステップＳ２０１では、制御部２０は、光源制御部２４に光源１１を点灯させる指示を行う等の必要な初期動作を行う。そして、ステップＳ２０２では、制御部２０は、姿勢検知部２９に筐体３の姿勢を検知させ、続くステップＳ２０３では、姿勢検知部２９からの検知信号に基づいて、プロジェクタ本体２の姿勢が基本姿勢であるか否かを判断する。そして、基本姿勢で設置されている場合にはステップＳ２０４に移行し、反転姿勢で設置されている場合にはステップＳ２０６に移行する。
【００９０】
プロジェクタ本体２が基本姿勢で設置されていてステップＳ２０４に移行した場合には、制御部２０は、ライトバルブ駆動部１４に出力する走査方向制御信号ＤＩＲＸ，ＤＩＲＹの電位レベルをともにＬレベルとする。これにより、これ以降、画像信号入力部２５に入力される画像信号に応じた画像が、画像投写部１０から基本表示状態で投写される（図７（ａ）参照）。
【００９１】
続くステップＳ２０５では、制御部２０は、記憶部２１に記憶されている２つの対応テーブルＰＴ１，ＰＴ２のうち、対応テーブルＰＴ１を有効にしてフローを終了する。これにより、これ以降、リモコン４０から操作信号ＲＳを受信した場合には、対応テーブルＰＴ１に従った処理を行う。つまり、リモコン４０のＰＣ１指定キー４６が操作された場合には、制御部２０は、入力選択部２６にＰＣ１端子２５ａを選択させ、ＰＣ２指定キー４７が操作された場合には、入力選択部２６にＰＣ２端子２５ｂを選択させる。
【００９２】
一方、プロジェクタ本体２が反転姿勢で設置されていてステップＳ２０６に移行した場合には、制御部２０は、ライトバルブ駆動部１４に出力する走査方向制御信号ＤＩＲＸ，ＤＩＲＹの電位レベルをともにＨレベルとする。これにより、これ以降、画像信号入力部２５に入力される画像信号に応じた画像が、画像投写部１０から反転表示状態で投写される（図７（ｂ）参照）。
【００９３】
続くステップＳ２０７では、制御部２０は、記憶部２１に記憶されている２つの対応テーブルＰＴ１，ＰＴ２のうち、対応テーブルＰＴ２を有効にしてフローを終了する。これにより、これ以降、リモコン４０から操作信号ＲＳを受信した場合には、対応テーブルＰＴ２に従った処理を行う。つまり、リモコン４０のＰＣ１指定キー４６が操作された場合には、制御部２０は、入力選択部２６にＰＣ２端子２５ｂを選択させ、ＰＣ２指定キー４７が操作された場合には、入力選択部２６にＰＣ１端子２５ａを選択させる。
【００９４】
以上説明したように、本実施形態のプロジェクタ１によれば、前記第１実施形態の効果に加えて以下の効果を得ることができる。
【００９５】
（１）本実施形態のプロジェクタ１によれば、プロジェクタ本体２の姿勢を検知する姿勢検知部２９を備え、姿勢検知部２９の検知結果に基づいて、画像の向き（表示状態）を変更したり、入力指定キーと入力端子との対応付けの設定を変更したりしているため、設置モードの変更をユーザが自ら行う必要がなくなる。
【００９６】
（第４実施形態）
以下、第４実施形態に係るプロジェクタについて、図面を参照して説明する。前記第１〜第３実施形態では、同一形状の２つの入力端子（ＰＣ１端子２５ａ及びＰＣ２端子２５ｂ）についてのみ入力指定キーとの対応付けの設定を変更しているが、本実施形態では、形状の異なる他の入力端子（Ｓ−ビデオ端子２５ｃ及びビデオ端子２５ｄ）についても入力指定キーとの対応付けの設定を変更するようにしている。
【００９７】
本実施形態のプロジェクタ本体２は、前記第１実施形態と同一の構成を有しており、その画像信号入力部２５には、基本姿勢において左から、ＰＣ１端子２５ａ、ＰＣ２端子２５ｂ、Ｓ−ビデオ端子２５ｃ、ビデオ端子２５ｄの順で４つの入力端子が１列に配列されている（図４（ａ）参照）。なお、反転姿勢ではレイアウト（順序）は反転し、左からビデオ端子２５ｄ、Ｓ−ビデオ端子２５ｃ、ＰＣ２端子２５ｂ、ＰＣ１端子２５ａの順となる（図４（ｂ）参照）。
【００９８】
図２２は、本実施形態のリモコン４０を示す平面図である。
図２２に示すように、リモコン４０には、４つの入力端子（ＰＣ１端子２５ａ、ＰＣ２端子２５ｂ、Ｓ−ビデオ端子２５ｃ、ビデオ端子２５ｄ）にそれぞれ対応する４つの入力指定キー（ＰＣ１指定キー４６、ＰＣ２指定キー４７、Ｓ−ビデオ指定キー４８、ビデオ指定キー４９）が、基本姿勢における入力端子のレイアウトと同一のレイアウトで配置されている。つまり、入力指定キーは、左からＰＣ１端子２５ａに対応するＰＣ１指定キー４６、ＰＣ２端子２５ｂに対応するＰＣ２指定キー４７、Ｓ−ビデオ端子２５ｃに対応するＳ−ビデオ指定キー４８、ビデオ端子２５ｄに対応するビデオ指定キー４９の順で１列に配列されている。
【００９９】
図２３は、プロジェクタ本体２の記憶部２１（図５参照）に記憶されている対応テーブルＰＴ１，ＰＴ２を説明するための説明図である。なお、リモコン４０の記憶部６１に記憶されている対応テーブルＲＴは、前記第１実施形態と同一である（図１０参照）。
図２３に示すように、天吊モードに設定された際に参照される対応テーブルＰＴ２では、入力指定キーと入力端子との対応付けの設定が左右反転するように、制御コードと処理内容の対応付けがなされている。つまり、２つの対応テーブルＰＴ１，ＰＴ２の間では、制御コード２１ｈ、２２ｈ、２３ｈ、２４ｈと、選択すべき入力端子（ＰＣ１端子２５ａ、ＰＣ２端子２５ｂ、Ｓ−ビデオ端子２５ｃ、ビデオ端子２５ｄ）との対応付けの設定が反転した状態になっている。
【０１００】
このため、プロジェクタ本体２が反転姿勢で設置され、設置モードが天吊モードに設定されている場合に、ユーザが最も左側の入力指定キー（ＰＣ１指定キー４６）を操作すると、リモコン４０は、対応テーブルＲＴ（図１０参照）に従って制御コード２１ｈを送信するため、プロジェクタ本体２では、対応テーブルＰＴ２に従ってビデオ端子２５ｄ、即ち反転姿勢（図４（ｂ）参照）で最も左側に位置する入力端子が選択される。同様に、左から２番目の入力指定キー（ＰＣ２指定キー４７）を操作すると、制御コード２２ｈが送信されるため、左から２番目の入力端子（Ｓ−ビデオ端子２５ｃ）が選択され、左から３番目の入力指定キー（Ｓ−ビデオ指定キー４８）を操作すると、制御コード２３ｈが送信されるため、左から３番目の入力端子（ＰＣ２端子２５ｂ）が選択される。そして、最も右側の入力指定キー（ビデオ指定キー４９）を操作すると、制御コード２４ｈが送信されるため、最も右側に位置する入力端子（ＰＣ１端子２５ａ）が選択される。
【０１０１】
なお、前記第２実施形態と同様、４つの入力指定キーと制御コードとの対応付けの設定を変更した２つの対応テーブルＲＴ１，ＲＴ２（図２４）をリモコン４０に備えるようにして、プロジェクタ本体２を基本姿勢で設置する場合と反転姿勢で設置する場合とで、送信する制御コードを変更するようにしてもよい。
【０１０２】
また、設置モードが天吊モードに設定された場合には、入力指定キーの表記を左右反転させるラベルＬＲ（図２５参照）をリモコン４０に貼り付けることによって、画像信号入力部２５に付された表記と一致させることができる。
【０１０３】
以上説明したように、本実施形態のプロジェクタ１によれば、前記第１及び第２実施形態の効果に加えて以下の効果を得ることができる。
【０１０４】
（１）本実施形態のプロジェクタ１によれば、入力端子の形状が同一か否かに拘わらず、入力指定キーと入力端子のレイアウトを一致させるようにしているため、入力指定キーと入力端子との対応付けがさらに明確になる。
【０１０５】
（変形例）
また、前記実施形態は、以下のように変更してもよい。
【０１０６】
前記実施形態では、画像信号入力部２５において入力端子が左右に並んで配列された構成を示しているが、入力端子の配列はこの構成に限定されず、例えば、上下に並んで配列された構成や上下左右にマトリクス状に配列された構成にすることも可能である。この場合には、リモコン４０の入力指定キーについても入力端子と同様のレイアウトで配置すればよい。
【０１０７】
前記実施形態では、ライトバルブ駆動部１４のＸ方向及びＹ方向の走査方向を変更することで、画像の向きを変更しているが、画像の向きの変更はこの方法に限られず、例えば、画像処理部２７及びＯＳＤ処理部２８において画像情報のデータ配列を反転させる処理を行ってもよい。
【０１０８】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【０１０９】
前記実施形態では、光源１１は、放電型の光源ランプ１１ａによって構成されているが、ＬＥＤ光源等の固体光源や、その他の光源を用いることもできる。
【図面の簡単な説明】
【０１１０】
【図１】（ａ）、（ｂ）は、プロジェクタを示す斜視図であり、（ａ）は、装置本体の前面及び上面を示す図、（ｂ）は、その背面及び底面を示す図。
【図２】プロジェクタが画像を投写する様子を示す側面図であり、プロジェクタ本体が机上等に載置された状態を示す図。
【図３】プロジェクタが画像を投写する様子を示す側面図であり、プロジェクタ本体が天井等に固定された状態を示す図。
【図４】（ａ）、（ｂ）は、プロジェクタ本体の背面図であり、（ａ）は、基本姿勢で机上等に載置された状態を示す図、（ｂ）は、反転姿勢で天井等に設置された状態を示す図。
【図５】第１実施形態のプロジェクタ本体の回路構成を示すブロック図。
【図６】液晶パネルの回路構成を示すブロック図。
【図７】（ａ）、（ｂ）は、走査方向制御信号と画像の表示状態の関係を示す説明図。
【図８】第１実施形態のリモコンの平面図。
【図９】第１実施形態のリモコンの回路構成を示すブロック図。
【図１０】第１実施形態のリモコンに記憶されている対応テーブルを説明するための説明図。
【図１１】リモコンが生成する操作信号の構成を説明するための説明図。
【図１２】設置モード設定メニューを示す説明図。
【図１３】第１実施形態のプロジェクタ本体に記憶されている対応テーブルを説明するための説明図。
【図１４】第１実施形態のプロジェクタ本体の電源投入時の動作を説明するためのフローチャート。
【図１５】第１実施形態のリモコンに貼り付けられるラベルを示す平面図。
【図１６】第１実施形態の代替案を示す図であり、画像信号入力部に貼り付けられるラベルを示す平面図。
【図１７】第２実施形態のプロジェクタ本体の回路構成を示すブロック図。
【図１８】第２実施形態のリモコンの回路構成を示すブロック図。
【図１９】第２実施形態のリモコンに記憶されている対応テーブルを説明するための説明図。
【図２０】第３実施形態のプロジェクタ本体の回路構成を示すブロック図。
【図２１】第３実施形態のプロジェクタ本体の電源投入時の動作を説明するためのフローチャート。
【図２２】第４実施形態のリモコンを示す平面図。
【図２３】第４実施形態のプロジェクタ本体に記憶されている対応テーブルを説明するための説明図。
【図２４】第４実施形態の代替案を示す図であり、リモコンに記憶される対応テーブルを説明するための説明図。
【図２５】第４実施形態のリモコンに貼り付けられるラベルを示す平面図。
【符号の説明】
【０１１１】
１…プロジェクタ、２…プロジェクタ本体、３…筐体、４ａ…前方脚部、４ｂ，４ｃ…後方脚部、５…ねじ穴、６…天吊金具、７…電源端子、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、１４ａ…データ線駆動回路、１４ｂ…走査線駆動回路、１５…液晶パネル、１５ａ…ＴＦＴ基板、２０…制御部、２１…記憶部、２２…操作パネル、２３…受信部、２４…光源制御部、２５…画像信号入力部、２５ａ…ＰＣ１端子、２５ｂ…ＰＣ２端子、２５ｃ…Ｓ−ビデオ端子、２５ｄ…ビデオ端子、２６…入力選択部、２７…画像処理部、２８…ＯＳＤ処理部、２９…姿勢検知部、４０…リモコン、４０ａ…筐体、４６…ＰＣ１指定キー、４７…ＰＣ２指定キー、４８…Ｓ−ビデオ指定キー、４９…ビデオ指定キー、６０…制御部、６１…記憶部、６２…キー検出部、６３…送信部、１５０…画素領域、１５１…画素回路（画素）、１５２…画素電極、１５３…薄膜トランジスタ、ＬＲ，ＬＰ…ラベル、ＲＴ，ＲＴ１，ＲＴ２…対応テーブル、ＰＴ，ＰＴ１，ＰＴ２…対応テーブル、ＲＳ…操作信号、ＤＩＲＸ，ＤＩＲＹ…走査方向制御信号、Ｘ１〜Ｘｍ…データ線、Ｙ１〜Ｙｎ…走査線、Ｍ１…設置モード設定メニュー、ＳＣ…スクリーン。
【図１】
2009168977.tif 000003
【図２】
2009168977.tif 000004
【図３】
2009168977.tif 000005
【図４】
2009168977.tif 000006
【図５】
2009168977.tif 000007
【図６】
2009168977.tif 000008
【図７】
2009168977.tif 000009
【図８】
2009168977.tif 000010
【図９】
2009168977.tif 000011
【図１０】
2009168977.tif 000012
【図１１】
2009168977.tif 000013
【図１２】
2009168977.tif 000014
【図１３】
2009168977.tif 000015
【図１４】
2009168977.tif 000016
【図１５】
2009168977.tif 000017
【図１６】
2009168977.tif 000018
【図１７】
2009168977.tif 000019
【図１８】
2009168977.tif 000020
【図１９】
2009168977.tif 000021
【図２０】
2009168977.tif 000022
【図２１】
2009168977.tif 000023
【図２２】
2009168977.tif 000024
【図２３】
2009168977.tif 000025
【図２４】
2009168977.tif 000026
【図２５】
2009168977.tif 000027